(57)【要約】【課題】ゴルフ用ターゲットにおいて、プレーヤーがボールをターゲットに落とせたか否かを視認できるようにするとともに、ターゲット付近の地面にボールが溜まるのを防いでターゲットを常に狙いやすい状態にする。【解決手段】ゴルフ用ターゲット１は、地面に形成された穴に埋められて上方が開口した筒体２と、筒体２内で筒体２の開口から入ったボールを受けるプレート３と、プレーヤーがボールを打つ際の目印となるフラッグポール４とを備える。プレート３は、筒体２内で揺動自在に支持されており、フラッグポール４は先端が筒体２の上端から突出し、プレート３と共に揺動可能にプレート３に取り付けられる。そして、プレート３へのボールの衝突力またはボールの重力を受けてプレート３が揺動することでフラッグポール４が揺動する。このため、プレーヤーはフラッグポール４の振れでボールが筒体２内に入ったことを視認することができ、娯楽性が向上する。【選択図】図１
0003163454.tif 000002
【実用新案登録請求の範囲】
【請求項１】
地面に形成された穴に埋められて上方が開口した筒体と、
前記筒体内で前記筒体の開口から入ったボールを受けるプレートと、
プレーヤーがボールを打つ際の目印となるポールとを備え、
前記プレートは、前記筒体内で揺動自在に支持されており、
前記ポールは、先端が前記筒体の上端から突出し、前記プレートと共に揺動可能にプレートに取り付けられ、
前記プレートがボールを受けることにより前記プレートが揺動することで、前記ポールが揺動することを特徴とするゴルフ用ターゲット。
【請求項２】
請求項１に記載のゴルフ用ターゲットにおいて、
前記プレートは、前記筒体内で回動可能に軸支される第１プレートと、前記第１プレートと連結して設けられる第２プレートとを有し、
前記第１プレートは、前記第２プレートへボールを落とすための落下口と、前記落下口へボールを誘導する傾斜面とを有しており、
前記第２プレートは、その外周面と前記筒体の内周面との間にボールよりも小さい隙間を有し、前記第１プレートから落下するボールを受けることにより前記第１プレートの回動軸を中心に振り子状に揺動するとともに、揺動により前記隙間を大きくしてボールを前記第２プレートの下方に落下させることを特徴とするゴルフ用ターゲット。
【請求項３】
請求項２に記載のゴルフ用ターゲットにおいて、
前記第１プレートは、前記筒体の周方向において前記回動軸から９０°離れた位置に前記落下口を有していることを特徴とするゴルフ用ターゲット。
【請求項４】
請求項３に記載のゴルフ用ターゲットにおいて、
前記第２プレートは、前記筒体の周方向において前記回動軸から９０°離れた位置の外周縁部が傾斜しており、
前記外周縁部は、前記第２プレートが揺動により傾いて、前記隙間がボールの大きさに近づくと、重力方向に略垂直となることを特徴とするゴルフ用ターゲット。
【請求項５】
請求項２〜４のいずれか１つに記載のゴルフ用ターゲットにおいて、
前記第２プレートは錘を有することを特徴とするゴルフ用ターゲット。
【請求項６】
請求項２〜５のいずれか１つに記載のゴルフ用ターゲットにおいて、
前記筒体内の下部には、前記第２プレートよりも下方に落下したボールを受けるボール回収カップが配されていることを特徴とするゴルフ用ターゲット。
【請求項７】
請求項２〜６のいずれか１つに記載のゴルフ用ターゲットにおいて、
前記筒体は、地面に形成された穴に埋設される外管と、前記外管の上端に引っ掛けて前記外管に着脱自在に挿入された内管とを有し、
前記プレートは前記内管に揺動可能に支持されていることを特徴とするゴルフ用ターゲット。
【考案の詳細な説明】
【技術分野】
【０００１】
本考案は、ゴルフ練習場等のフィールドに設置され、打席からプレーヤーが狙うターゲットに関する。
【背景技術】
【０００２】
従来より、ゴルフ練習場のフィールドに設置されるターゲット１００として、地面に刺したフラッグポール１０１を狙わせるものがある（図６参照）。このフラッグポール１０１は、上端部にフラッグ１０２が設けられており、下端部が地面に埋められて用いられる。
【０００３】
しかし、フラッグポール１０１では、プレーヤーが打席からフラッグポール１０１の根元付近を狙ってボールを打ち、フラッグポール１０１の根元付近にボールを落とせたとしても、打席からフラッグポール１０１との距離が遠い場合、プレーヤーはボールがフラッグポール１０１の根元付近に落ちたことを視認することが困難である。
【０００４】
また、ゴルフ練習場では、同じフラッグポール１０１を狙って何度もボールを打ったり、複数のプレーヤーが同一のフラッグポール１０１を狙ったりすることがあるため、フラッグポール１０１の根元付近の地面にボールが複数溜まってしまうことがある。この場合、プレーヤーの打ったボールがフラッグポール１０１の根元付近の地面のボールに当たって思わぬ方向に飛んでいってしまい、フラッグポール１０１が狙いにくくなることがある（図６参照）。
【考案の概要】
【考案が解決しようとする課題】
【０００５】
本考案は、上記の問題点を解決するためになされたものであり、ゴルフ用ターゲットにおいて、プレーヤーがボールをターゲットに落とせたか否かを視認できるようにするとともに、ターゲット付近の地面にボールが溜まるのを防いでターゲットを常に狙いやすい状態にすることを目的とする。
【課題を解決するための手段】
【０００６】
〔請求項１の手段〕
請求項１に記載のゴルフ用ターゲットは、地面に形成された穴に埋められて上方が開口した筒体と、筒体内で筒体の開口から入ったボールを受けるプレートと、プレーヤーがボールを打つ際の目印となるポールとを備える。
プレートは、筒体内で揺動自在に支持されており、ポールは、先端が筒体の上端から突出し、プレートと共に揺動可能にプレートに取り付けられる。
そして、プレートがボールを受けることで、ボールの衝突力またはボールの重力（質量）を受けてプレートが揺動することにより、ポールが揺動する。
【０００７】
これによれば、プレーヤーが、ポールの根元を狙ってボールを打ち、ボールが筒体の中に入った場合には、プレートがボールの衝撃により揺れることでポールが揺動する。このため、プレーヤーはポールが揺れたことでボールが筒体内に入ったことを視認することができ、娯楽性が向上する。
また、ボールは筒体内に入るので、ボールがポールの根元の地面に溜まる虞もない。
【０００８】
〔請求項２の手段〕
請求項２に記載のゴルフ用ターゲットによれば、プレートは、筒体内で回動可能に軸支される第１プレートと、第１プレートと連結して設けられる第２のプレートとを有している。
第１プレートは、第２プレートへボールを落とすための落下口と、落下口へボールを誘導する傾斜面とを有している。
第２プレートは、その外周面と筒体の内周面との間にボールよりも小さい隙間を有し、第１プレートから落下するボールの衝突力により第１プレートの回動軸を中心に振り子状に揺動するとともに、揺動により隙間を大きくしてボールを第２プレートの下方に落下させる。
【０００９】
これによれば、ポールは、第１プレートへのボールの衝突による揺れに加えて、第２プレートへのボールの衝突によっても揺れ、第１プレートのみの場合に比べて、ポールの揺れがプレーヤーから分かりやすくなる。
【００１０】
〔請求項３の手段〕
請求項３に記載のゴルフ用ターゲットによれば、第１プレートは、筒体の周方向において回動軸から９０°離れた位置に落下口を有している。
回動軸から９０°離れた位置が、第１プレートの回動による筒体の軸方向への変位量が最も大きい。
【００１１】
このため、ボールを落下口に案内する途中でも、ボールの重さによって第１プレートを揺らすことができる。また、落下口から落下したボールは、第２プレートにおいても筒体の軸方向への変位量が最も大きい位置（筒体の周方向において回動軸から９０°離れた位置）に当たる。
これにより、落下後のボールによって第２プレートを大きく揺らすことができ、結果として、第２プレートと連結する第１プレート及びポールを大きく揺らすことができる。
従って、ポールの揺れを大きくできるので、プレーヤーはボールが筒体内に入ったことをより明確に視認することができる。
【００１２】
〔請求項４の手段〕
請求項４に記載のゴルフ用ターゲットによれば、第２プレートは、筒体の周方向において回動軸から９０°離れた位置の外周縁部が傾斜しており、外周縁部は、第２プレートが揺動により傾いて、筒体の内周面との間の隙間がボールの大きさに近づくと、重力方向に略垂直となる。
【００１３】
これによれば、ボールが、第２プレートの揺動に伴って、第２プレートと筒体との間の隙間を通り抜ける際に、外周縁部がボールにより水平方向（重力方向に垂直な方向）に押されやすくなる。つまり、第２プレートが揺れを大きくする方向に押されやすくなる。
これにより、落下後のボールによって第２プレートを大きく揺らすことができ、結果として、第２プレートと連結する第１プレート及びポールを大きく揺らすことができる。
従って、ポールの揺れを大きくできるので、プレーヤーはボールが筒体内に入ったことをより明確に視認することができる。
【００１４】
〔請求項５の手段〕
請求項５に記載のゴルフ用ターゲットによれば、第２プレートは錘を有する。
これにより、風等の影響によるポールの揺動を少なく抑え、ポールを垂直に保つとともに、ボールが筒体内に入った場合のポールの揺動を長く持続させることができる。
【００１５】
〔請求項６〕
請求項６に記載のゴルフ用ターゲットによれば、筒体内の下部には、第２プレートよりも下方に落下したボールを受けるボール回収カップが配されている。
これによれば、第２プレートよりも下方に落下したボールの回収作業が行いやすくなる。
【００１６】
〔請求項７〕
請求項７に記載のゴルフ用ターゲットによれば、筒体は、地面に形成された穴に埋設される外管と、外管の上端に引っ掛けて外管に着脱自在に挿入された内管とを有する。
そして、プレートは内管に揺動可能に支持されている。
これによれば、プレートやポールは内管とともに外管から取り外すことができるため、プレートやポールのメンテナンスが行いやすくなる。また、請求項６のボール回収カップを、外管内で内管の下方に配する場合、内管の着脱が自在になっていることにより、ボール回収カップの取り出し作業が容易になる。
【図面の簡単な説明】
【００１７】
【図１】ゴルフ用ターゲットの全体構成図である（実施例１）。
【図２】ゴルフ用ターゲットの組み付け図である（実施例１）。
【図３】（ａ）は第１プレートの平面図であり、（ｂ）は（ａ）のＢ−Ｂ断面図である。（ｃ）は第２プレートの平面図であり、（ｄ）は（ｃ）のＣ−Ｃ断面図である（実施例１）。
【図４】（ａ）、（ｂ）は、ポールが振れる過程を説明する図１のＡ−Ａ断面図である（実施例１）。
【図５】（ａ）、（ｂ）は、ポールが振れる過程を説明する図１のＡ−Ａ断面図である（実施例１）。
【図６】ゴルフ用ターゲットの説明図である（従来例）。
【考案を実施するための形態】
【００１８】
本考案を実施するための形態１のゴルフ用ターゲットは、地面に形成された穴に埋められて上方が開口した筒体と、筒体内で筒体の開口から入ったボールを受けるプレートと、プレーヤーがボールを打つ際の目印となるポールとを備える。
プレートは、筒体内で揺動自在に支持されており、ポールは、先端が筒体の上端から突出し、プレートと共に揺動可能にプレートに取り付けられる。
そして、プレートがボールを受けることで、ボールの衝突力またはボールの重力を受けてプレートが揺動することにより、ポールが揺動する。
【実施例】
【００１９】
〔実施例の構成〕
実施例のゴルフ用ターゲット１の構成を、図１ないし図５を用いて説明する。
ゴルフ用ターゲット１は、地面に形成された穴に埋められて上方が開口した筒体２と、筒体２内で筒体２の開口から入ったボールを受けるプレート３と、プレーヤーがボールを打つ際の目印となるフラッグポール４とを備える。
【００２０】
筒体２は、地面に形成された穴に埋設される外管２１と、外管２１の上端に引っ掛けて外管２１に着脱自在に挿入された内管２２とを有する。
外管２１は、例えばステンレス合金で形成される筒体であり、地面に掘られた穴に埋設される。外管２１の上方の開口は、地面とほぼ同じ高さの位置にある。なお、水はけをよくするため、穴の底面部には、砕石と砂を積層している（図１参照）。
【００２１】
内管２２は、例えばステンレス合金で形成される筒体であり、外管２１より小径で且つ軸方向の長さが短く形成されている。そして、上端部に外管２１の上端に引っ掛ける引っ掛け部２３が設けられている。
これにより、外管２１の開口から内管２２を挿入して、引っ掛け部２３を外管２１の上端に引っ掛けることで外管２１に内管２２を着脱自在に取り付けることができる（図１、図２参照）。
【００２２】
そして、外管２１内で内管２２の下方には、ボール回収カップ５が配される（図１、図２参照）。ボール回収カップ５は、複数の穴が形成されたステンレス合金板によってカップ状に形成されており、上端部に取っ手５１が設けられている。
ボール回収カップ５は、外径が外管２１の内径よりも小さく、内径が内管２２の内径よりも大きく設けられている。そして、ボール回収カップ５は、外管２１および内管２２と同軸上に、穴の底面に置かれている。
【００２３】
プレート３は、内管２２に回動可能に軸支される第１プレート３１と、第１プレート３１の下方に連結されている第２プレート３２とを有している。
第１プレート３１及び第２プレート３２は、円板状を呈しており、面方向が内管２２の軸方向に略垂直になるように内管２２内に配される。
以下に、第１プレート３１、第２プレート３２、及びフラッグポール４の配置について具体的に説明する。
【００２４】
第１プレート３１は例えばステンレス合金により円板状に形成されている。そして、第１プレート３１は、１８０°で対向する位置に、外周縁から下方に延びる板状の小片３１ａを有し、小片３１ａには板厚方向に貫通する貫通穴３１ｂが形成されている。そして、貫通穴３１ｂには、内管２２に固定されるとともに径方向内側に突出する支軸２４が挿通する（図１、図２、図３（ｂ）参照）。これにより、第１プレート３１は、支軸２４を回動軸として回動可能に内管２２に取り付けられる。
【００２５】
フラッグポール４は、ＧＦＲＰ（ガラス繊維強化プラスチック）にて形成された棒材の上端部にフラッグ４１を取り付けたものである（図１参照）。
そして、フラッグポール４は第１プレート３１に固定されるポール取付具３３によって、第１プレート３１上に取り付けられる。
ポール取付具３３は上端から下方に向かって開けられたポール挿入穴３３ａと、下端から上方に向けて開けられた取付用螺子穴３３ｂとを有する（図４（ａ）参照）。
【００２６】
そして、ポール取付具３３と第１プレート３１とは全ねじ３４によって固定されている。すなわち、第１プレート３１は、円板状の中心に板厚方向に貫通する貫通穴３１ｃを有し、全ねじ３４を貫通穴３１ｃに挿通した状態で、第１プレート３１の上では、ポール取付具３３の取付用螺子穴３３ｂに全ねじ３４の上端部を螺合し、第１プレート３１の下では、第１プレート３１をポール取付具３３との間に挟み込むように全ねじ３４にナット３５を螺合する（図４（ａ）参照）。
【００２７】
そして、ポール挿入穴３３ａにフラッグポール４の下端部が挿入されることで、フラッグポール４が第１プレート３１に取付けられる。
なお、ポール挿入穴３３ａと取付用螺子穴３３ｂとは連通しており、フラッグポール４の下端は全ねじ３４の上端に当接している。また、ポール取付具３３はアルミ合金により形成されている。
【００２８】
第２プレート３２は、全ねじ３４を介して、第１プレート３１の下方に連結されている（図１、図２、図４（ａ）参照）。これにより、第１プレート３１の回動によって、第２プレート３２は第１プレート３１の回動軸を中心に振り子状に揺動する。
【００２９】
すなわち、全ねじ３４は、第１プレート３１の下方に突出している。そして、第２プレート３２は、円板状の中心に板厚方向に貫通する貫通穴３２ａを有し、全ねじ３４の第１プレート３１の下方に突出した部分を貫通穴３２ａに挿通した状態で、第２プレート３２の上からはナット３６により、第２プレート３２の下からは、螺子穴６１を有する錘６により、第２プレート３２を挟んで締め付けることにより、固定される。なお、ナット３６と第２プレート３２との間には、スプリングワッシャとワッシャが設けられている。
【００３０】
次に、第１プレート３１と第２プレート３２についてさらに詳細に説明する。
第１プレート３１は、内管２２の内径よりも小さい径の円板状を呈しており、第２プレート３２へボールを落とすための落下口３１ｄと、落下口３１ｄへボールを誘導する傾斜面３１ｅを有している。そして、落下口３１ｄは、内管２２の周方向において回動軸の位置から９０°離れた位置に設けられている。
【００３１】
すなわち、第１プレート３１には、支軸２４に軸支される小片３１ａが形成された位置から周方向にそれぞれ９０°回転した位置（すなわち、内管２２の周方向において回動軸から９０°離れた位置）に、落下口３１ｄとして円弧上の切り欠きが形成されている。
そして、貫通穴３１ｃから落下口３１ｄに向かって下方に傾斜する傾斜面３１ｅが形成されている。
【００３２】
また、第２プレート３２は、第１プレート３１よりも小径の円板状を呈しており、第２プレート３２の外周面と内管２２の内周面との間にボールよりも小さい隙間Ｃが形成されている（図４（ａ）参照）。
そして、第２プレート３２は、落下口３１ｄに対応する位置（すなわち、内管２２の周方向において回動軸から９０°離れた位置）の外周縁部に、上方に曲げられて傾斜した傾斜部３２ｂを有している。そして、傾斜部３２ｂは、第２プレート３２が揺動により傾いて、内管２２の内周面との間の隙間Ｃがボールの大きさに近づくと、重力方向に略垂直となる（図５（ａ）参照）。
【００３３】
〔実施例の作用〕
実施例の作用を図４、図５を用いて説明する。
なお、図４、図５は、図１のＡ−Ａ断面図であり、紙面方向に第１プレート３１の回転軸が存在している。
【００３４】
まず、図４（ａ）は、ボールの侵入のない定常時の様子を示している。
プレーヤーが打席から打ったボールが内管２２内に入ると、図４（ｂ）に示すように、ボールはまず第１プレート３１に衝突する。このとき、第１プレート３１はボールの衝突力およびボールの重力を受けて、回動軸回りに回動する。また、ボールは傾斜面３１ｅを転がり、落下口３１ｄへと向かう（図４（ｂ）参照）。このとき、ボールが回動軸より離れた位置を転がることにより、つまり、支点と力点の距離が大きくなることによって、第１プレート３１の回動角が大きくなる。すなわち、フラッグポール４の振れ角度θが徐々に大きくなる。
なお、振れ角度θが大きくなれば、フラッグポール４の上端部の振れ幅が大きくなり、振れ幅が大きくなるほど、プレーヤーから視認されやすくなる。
【００３５】
そして、落下口３１ｄから下方に落下したボールは、第２プレート３２に当たる。第１プレート３１が回動することにより、第２プレート３２も揺れているが、このときの隙間Ｃはボールよりも小さいため、ボールは第２プレート３２の傾斜部３２ｂの上面に当たる。
この傾斜部３２ｂへのボールの衝突により、第２プレート３２が揺れる方向に力を受け、第２プレート３２の振れ幅がさらに大きくなり、隙間Ｃが徐々に大きくなっていく。すなわち、第１プレート３１の回動角がさらに大きくなり、フラッグポール４の振れ角度θがさらに大きくなる。
【００３６】
そして、第２プレート３２が揺動により傾いて、隙間Ｃがボールの大きさに近づくと、傾斜部３２ｂの面方向が重力方向に略垂直となる。
このとき、ボールが隙間Ｃを通り抜ける際に、傾斜部３２ｂに接触しながら通り抜けるため、ボールの落下による下方向への力が、水平方向にも分散されて、傾斜部３２ｂがボールにより水平方向（重力方向に垂直な方向）に押されやすくなる（図５（ａ）の白抜き矢印参照）。つまり、ボールの通過によって第２プレート３２が揺れを大きくする方向に押されやすくなる。
これにより、第２プレート３２の振れ幅がさらに大きくなる。すなわち、第１プレート３１の回動角がさらに大きくなり、フラッグポール４の振れ角度θがさらに大きくなる（図５（ａ）参照）。
【００３７】
そして、最終的に、隙間Ｃがボールよりも大きくなり、ボールは下方に落下する（図５（ｂ）参照）。
落下したボールは、内管２２の下方に配されたボール回収カップ５に入る。
【００３８】
〔実施例の効果〕
実施例のゴルフ用ターゲット１は、地面に形成された穴に埋められて上方が開口した筒体２と、筒体２内で筒体２の開口から入ったボールを受けるプレート３と、プレーヤーがボールを打つ際の目印となるフラッグポール４とを備える。
プレート３は、筒体２内で揺動自在に支持されており、フラッグポール４は、先端が筒体２の上端から突出し、プレート３と共に揺動可能にプレート３に取り付けられる。
そして、プレート３がボールを受けることで、ボールの衝突力またはボールの重力を受けてプレート３が揺動することにより、フラッグポール４が揺動する。
【００３９】
これによれば、プレーヤーが、フラッグポール４の根元を狙ってボールを打ち、ボールが筒体２の中に入った場合には、プレート３がボールの衝撃により揺れることでフラッグポール４が揺動する。このため、プレーヤーはフラッグポール４が振れたことでボールが筒体２内に入ったことを視認することができ、娯楽性が向上する。
また、ボールは筒体２内に入るので、ボールがフラッグポール４の根元の地面に溜まる虞もない。
【００４０】
また、筒体２は、地面に形成された穴に埋設される外管２１と、外管２１の上端に引っ掛けて外管２１に着脱自在に挿入された内管２２とを有する。そして、プレート３は内管２２に揺動可能に支持されている。
これによれば、プレート３やフラッグポール４を内管２２とともに外管２１から取り外すことができるため、プレート３やフラッグポール４のメンテナンスが行いやすくなる。
また、内管２２の下方には、落下したボールを回収するボール回収カップ５を配しているが、内管２２の着脱が自在になっていることで、ボール回収カップ５の取り出し作業が容易になる。
【００４１】
また、プレート３は、内管２２内で回動可能に軸支される第１プレート３１と、第１プレート３１と連結して設けられる第２プレート３２とを有する。第１プレート３１は、内管２２内に入ったボールを受けると回動軸周りに回動する。そして、落下口３１ｄからボールが第２プレート３２へ落下し、第２プレート３２は落下するボールの衝突力により第１プレート３１の回動軸を中心に振り子状に揺動する。
【００４２】
これによれば、フラッグポール４は、第１プレート３１へのボールの衝突に加えて、第２プレート３２へのボールの衝突によっても振れ、第１プレート３１のみの場合に比べて、フラッグポール４の振れ角度θが大きくなり、フラッグポール４の振れがプレーヤーから分かりやすくなる。
【００４３】
また、第１プレート３１は、内管２２の周方向において回動軸から９０°離れた位置に落下口３１ｄを有している。
回動軸から９０°離れた位置は、第１プレート３１の回動による筒体２の軸方向への変位量が最も大きい。
このため、ボールを落下口３１ｄに案内する過程で、ボールの重さによって第１プレート３１を揺らすことができる。また、落下口３１ｄから落下したボールは、第２プレート３２においても筒体２の軸方向への変位量が最も大きい位置（筒体２の周方向において回動軸から９０°離れた位置）に当たる。
【００４４】
これにより、落下後のボールによって第２プレート３２を大きく揺らすことができ、結果として、第２プレート３２と連結する第１プレート３１の回動角及びフラッグポール４の振れ角度θを大きくすることができる。このため、フラッグポール４の振れ角度θを大きくできるので、フラッグポール４の振れがプレーヤーから、よりはっきりと分かりやすくなる。
【００４５】
また、第２プレート３２は、内管２２の周方向において回動軸から９０°離れた位置の外周縁部に、上方に曲げられて傾斜した傾斜部３２ｂを有している。そして、傾斜部３２ｂは、第２プレート３２が揺動により傾いて、内管２２の内周面との間の隙間Ｃがボールの大きさに近づくと、重力方向に略垂直となる。
【００４６】
これによれば、ボールが、第２プレート３２の揺動に伴って、隙間Ｃを通り抜ける際に、傾斜部３２ｂがボールにより水平方向（重力方向に垂直な方向）に押されやすくなる。つまり、第２プレート３２の揺れを大きくする方向に押されやすくなる。
これにより、落下後のボールによって第２プレート３２を大きく揺らすことができ、結果として、第２プレート３２と連結する第１プレート３１の回動角及びフラッグポール４の振れ角度θを大きくすることができる。
従って、フラッグポール４の振れを大きくできるので、プレーヤーはボールが筒体２内に入ったことをより明確に視認することができる。
【００４７】
また、実施例のゴルフ用ターゲット１では、第２プレート３２が錘６を有する。これによれば、風等の影響でボールが筒体２に入っていないのに、フラッグポール４が振れてしまうことを防止することができる。また、ボールが筒体２内に入った場合のフラッグポール４の揺動を長く持続させる効果をももたらす。
【００４８】
なお、錘６の重さは、フラッグポール４の安定性と振れ幅確保のバランスを取るように任意に定める。すなわち、錘６が軽すぎると、安定性が悪くなり、風等の影響でフラッグポール４が振れてしまう。そして、逆に、錘６が重すぎると、ボールの衝突によって振れる振れ幅が小さくなってしまう。そこで、回動軸から第２プレート３２及び錘６の距離（振り子の長さ）や、風等の周りの環境を考慮して、錘６の重さを安定性と振れ幅確保のバランスを取るように任意に定める必要がある。
【００４９】
また、振れ幅の確保には、各部品の軽量化が必要であり、本実施例では、フラッグポール４にＧＦＲＰを用い、ポール取付具３３にアルミ合金を用いている。しかし、軽くしすぎると、やはり安定性が悪くなるため、錘６等により安定性とのバランスを取る必要がある。
【００５０】
〔変形例〕
ゴルフ用ターゲット１の態様は、実施例に限定されず、様々な変形例を考えることができる。
例えば、実施例では、プレート３は第１プレート３１と第２プレート３２とを有していたが、第１プレート３１のみであってもよい。室内練習場等の風のない場所であれば、錘６を軽くすることができるので、第１プレート３１のみでも、ある程度のフラッグポール４の振れ幅を確保することができる。
また、実施例では、錘６が第２プレート３２の下に設けられていたが、第２プレート３２の上に設けてもよい。
また、ポール取付具３３のポール挿入穴３３ａの内径をフラッグポール４の外径よりもわずかに大きくして、フラッグポール４をポール取付具３３に対して着脱自在に取り付けてもよい。
【符号の説明】
【００５１】
１      ゴルフ用ターゲット
２      筒体
２１    外管
２２    内管
２４    支軸（回動軸）
３      プレート
３１    第１プレート
３１ｄ  落下口
３１ｅ  傾斜面
３２    第２プレート
３２ｂ  傾斜部（外周縁部）
４      フラッグポール（ポール）
５      ボール回収カップ
６      錘
Ｃ      隙間
【図１】
0003163454.tif 000003
【図２】
0003163454.tif 000004
【図３】
0003163454.tif 000005
【図４】
0003163454.tif 000006
【図５】
0003163454.tif 000007
【図６】
0003163454.tif 000008